(57)【要約】      （修正有）【課題】装飾要素を装飾アセンブリ内に取り付けることを可能にするセッティングまたは装着台を提供する。【解決手段】装飾要素１０を取り付けるための要素を保持する開放弾性リングを含むセッティング１に関し、セッティングは、装飾される物品の基材内に設けられた空洞６の中に、半径方向に圧縮された状態で置かれるように構成される。【選択図】図１２
2019111324.tif 000002
【特許請求の範囲】
【請求項１】
装飾要素（１０）を取り付けるための要素（４、１２）を保持する開放弾性リングを含むセッティング（１）であって、前記セッティングは、装飾される物品の基材内に設けられた空洞（６）の中に、半径方向に圧縮された状態で置かれるように構成された、セッティング。
【請求項２】
前記セッティング要素は塑性変形可能である、請求項１に記載のセッティング。
【請求項３】
前記装飾アセンブリは、前記セッティングが半径方向に圧縮された状態で置かれる空洞の内側に支持体（９）を更に備える、請求項１または請求項２に記載のセッティングを備える装飾要素。
【請求項４】
前記支持体（９）は、前記装飾要素（１０）の取付けを可能にするために、十分な塑性変形を持たない材料から作られている、請求項３に記載の装飾要素。
【請求項５】
前記セッティング（１）は、前記空洞（６）内の対応する保持要素（７、１４、１８）と協働する保持要素（３、１７、２０）を含む、請求項３または請求項４に記載の装飾要素。
【請求項６】
前記保持要素は、前記空洞（６）の側壁に、または前記セッティング（１）の側壁に構成された少なくとも１つの凹部（７、１７、１８）と、補完的な壁の突出部（３、１６、２０）とを含む、請求項５に記載の装飾要素。
【請求項７】
前記セッティング（１）または前記空洞（６）は、少なくとも１つの傾斜表面（５、１５、１６、１９）を含み、前記傾斜表面は、前記セッティング（１）が前記空洞（９）の中に押し込まれた時に前記セッティング（１）が圧縮されるように構成されている、請求項３から請求項６のいずれか一項に記載の装飾要素。
【請求項８】
少なくとも、２つの空洞（６）および２つのセッティング（１）を備え、前記セッティング（１）のうちの１つは、先行する前記セッティング（１）のハウジング（１３）の中に固定される、請求項３から請求項７のいずれか一項に記載の装飾要素。
【請求項９】
前記ハウジング（１３）は、先行する前記セッティングの開放部（２）の延長部にある、請求項８に記載の装飾要素。
【請求項１０】
前記セッティング（１）は、金、白金、パラジウム、レニウム、ルテニウム、ロジウム、銀、イリジウム、オスミウム、およびそれらの合金、から成る群から選択される、少なくとも１つの貴金属を含む、請求項３から請求項９のいずれか一項に記載の装飾要素。
【請求項１１】
前記空洞は止まり穴である、請求項３から請求項１０のいずれか一項に記載の装飾要素。
【請求項１２】
請求項３から請求項１１のいずれか一項に記載の装飾アセンブリを含む、装飾された物品。
【発明の詳細な説明】
【技術分野】
【０００１】
本発明は、装飾要素を装飾アセンブリ内に取り付けることを可能にするセッティングまたは装着台に関する。
【背景技術】
【０００２】
時計または宝飾品などの可搬性の対象物上に置かれることが意図された装飾部品、およびその可搬性の対象物の一部を支持体として、その上に美的要素が取り付けられる、従来技術が知られている。
【０００３】
この目的のために、支持体は金属合金でできており、機械加工されてハウジングが得られる。この機械加工中に、より一般的にはプロングまたはグレインと呼ばれる、フックの形状をした把持手段が作られる。一般に、これらのプロングまたはグレインは、可搬性の対象物を形成している材料と統合されており、すなわち対象物と一体となっている。ジェムストーンなどの美的要素を取り付ける必要がある場合、美的要素はハウジング内部に置かれ、プロングが塑性変形により折り曲げられて、美的要素はハウジング内部に保持される。金属には塑性変形するという好都合な機能があるので、この取付け方法は、金属支持体上にジェムストーンを取り付けるために広く使われている。結晶性金属およびその合金の冷間塑性変形は、結晶格子中に存在する格子転移の移動によって可能となる。結晶質合金の弾性限界、すなわち、それを超えると材料が塑性変形し始める応力は、その構成元素およびその合金の熱機械履歴に依存する。従来の取付け方法では、取り付ける者の作業を促進するために、一般的に比較的低い弾性限界を有する合金が選択される。比較的低い弾性限界に加えて、合金は、プロングを破壊せずに折り曲げることができるように、十分な破断点伸びを有することが必要である。弾性限界と同様に、この伸びは合金中に存在する元素、および合金の熱機械履歴の結果である。例えば、時計製作において使用される金合金は、２００〜４００ＭＰａ程度の弾性限界、および２０〜４０％の破断点伸びを有する。１．４４３５タイプのステンレス鋼は２００〜３００ＭＰａの弾性限界、および２５〜４５％の破断点伸びを有する。
【０００４】
しかしながら、本方法の欠点の１つは、本方法は延性のある金属または金属合金で作られた支持体に限定されることである。しかし計時器は、例えばセラミック、シリコン、サファイア、金属間化合物合金、または、金属、天然、もしくはポリマーのマトリックス複合材料などの、塑性変形がなく、多くの場合、硬質および／または脆性の材料で作られることが増えている。
【０００５】
その結果、例えばジェムストーンなどの美的要素を取り付けるために、従来方法はもはや使用することはできない。
【０００６】
従って、この取付け作業は一般的に接着剤結合作業によって置き換えられている。接着剤結合の欠点は、この技術は、セッティングとは異なり、石の何らかの機械的な保持も伴わないために、石の１００％保持を確保できないことである。実際、結合領域は、ほとんどの場合、外部環境（湿度、汗、紫外線、大気汚染）に曝されるため、結合が長期耐久性を実現することは困難である。その結果、石の結合は保証されず、高級品には許容し難い。
【０００７】
欧州特許第２７９６２９７号（特許文献１）は、非変形性の支持体と、装飾要素との間に中間材料を使用することによる、この問題への解決策を記載している。この文献では、支持体内にキャビティが作られ、次いでこのキャビティが延性材料で充填されて、装飾要素を取り付けることを可能にしている。キャビティを充填することは、キャスティング、熱成形、ホットプレスフィット、または金属粉末の稠密化などの、高温の形成プロセスの使用を必要とする。従って、このタイプの方法は、制御が複雑な熱応力を誘起し、特別なツールを要する。
【０００８】
米国特許第９４０２４５０号（特許文献２）は、ジェムストーン内に設けられた溝の内部に固定された非変形性の爪を含み、セッティングの基部が支持体部品内の穴の中に挿入されたセッティングについて記載している。この文献では、セッティングの基部または支持体部品の塑性変形が、リベット締めと同様の原理によって、セッティングを支持体に固定することが可能となっている。この塑性変形は爪の締付けを伴い、セッティングの安定性を向上させている。このセッティングの欠点の１つは、石が予め装着されていなければならないことである。更に、要素を適切に固定するために、リベット孔が分離されていなければならないため、この器具は脆性の材料の中に挿入するには適しておらず、セッティングまたは装着台を連結することを許容しない。結局、支持体の中に恒久的に組立をするためには裏側からセッティングに接近することが不可欠であり、そのため、このセッティングは止まり穴に対しては適切ではないが、しかし例えば時計ケースの場合は不可欠である。
【先行技術文献】
【特許文献】
【０００９】
【特許文献１】欧州特許第２７９６２９７号
【特許文献２】米国特許第９４０２４５０号
【発明の概要】
【課題を解決するための手段】
【００１０】
本発明は、セッティングまたは装着台に関し、セッティング要素を保持する弾性リングを備え、弾性リングは、リングを圧縮して支持体の空洞の中に押し込むための開放部を含む。
【００１１】
セッティング要素は塑性変形可能であり、セッティング要素の塑性変形によって、装飾要素が取り付けられることが可能となっている。
【００１２】
本発明の第２の態様は、装飾アセンブリに関し、装飾アセンブリは支持体を備え、支持体の内部には少なくとも１つの空洞と少なくとも１つのセッティングが構成され、セッティングは、装飾要素を取り付けるための要素を保持する開放弾性リングを備え、そのリングは空洞の中に予め応力を加えた状態で置かれている。
【００１３】
装飾要素の取付けを可能にするために、支持体が十分な塑性変形を持たない材料から作製されていると好都合である。
【００１４】
好ましくは、セッティングは、対応する保持要素と協働する保持要素を空洞内に含む。これらの保持要素は、好ましくは、空洞の側壁に、またはセッティングの側壁に構成された少なくとも１つの凹部と、補完的な壁内の突出部とを含む。
【００１５】
セッティングまたは空洞は少なくとも１つの傾斜表面を含み、傾斜表面は、セッティングが空洞の中に押し込まれた時にセッティングが圧縮されるように構成されていると有益である。
【００１６】
好ましい実施形態では、本発明の装飾アセンブリは、少なくとも、２つの空洞と２つのセッティングとを含み、セッティングのうちの１つが、先行するセッティングのハウジングの中に嵌め込まれ、このハウジングは好ましくは、セッティングの開放部の延長部に置かれている。
【００１７】
セッティングは、金、白金、パラジウム、レニウム、ルテニウム、ロジウム、銀、イリジウム、オスミウム、およびそれらの合金から成る群から選択される、少なくとも１つの貴金属を含むか、または少なくとも１つの貴金属で構成される。
【００１８】
代替として、セッティングはまた、非晶質または少なくとも部分的に非晶質の形態の金属合金で構成されても良い。
【００１９】
本発明の第３の態様は、本発明による装飾されたアセンブリを備える、装飾された物品に関する。
【図面の簡単な説明】
【００２０】
【図１】本発明によるセッティングの例を示す。
【図２】本発明のセッティングを装飾アセンブリの中に挿入するためのシーケンスの概略断面図を示す。
【図３】本発明のセッティングを装飾アセンブリの中に挿入するためのシーケンスの概略断面図を示す。
【図４】本発明のセッティングを装飾アセンブリの中に挿入するためのシーケンスの概略断面図を示す。
【図５】本発明のセッティングを装飾アセンブリの中に挿入するためのシーケンスの概略断面図を示す。
【図６】本発明のセッティングを装飾アセンブリの中に挿入するためのシーケンスの概略断面図を示す。
【図７】本発明によるセッティング／空洞の他の例の断面図を示す。
【図８】本発明によるセッティング／空洞の他の例の断面図を示す。
【図９】いくつかのセッティングを含む装飾アセンブリを備える、装飾された物品を示す。
【図１０】装飾された要素が取り付けられる前の、図９の装飾物品の詳細を示す。
【図１１】装飾要素の１つが断面で目に見える、別の詳細を示す。
【図１２】支持体、セッティング、および装飾アセンブリの分解図を示す。
【発明を実施するための形態】
【００２１】
本発明は、ジェムストーン１０などの装飾要素を、従来のセッティング技術にとっては十分な塑性変形を持たない基材９内に保持するセッティング１に関する。本発明は、一般に、セラミック、シリコン、サファイア、金属間化合物合金、または、金属、天然もしくはポリマーのマトリックス複合材料などの、硬質および脆性の材料に関する。
【００２２】
本発明によると、中間のセッティング１が基材９内に作られた空洞６の中に挿入される。図１に示されるように、このセッティング１は、基本的に開放部２を備えるリングで形成され、セッティング１の弾性変形が可能になっている。開放リングの弾性圧縮により、セッティング１が空洞６の中に挿入されることが可能である。よって、空洞６の中への挿入後の跳ね返りにより、セッティング１が基材９内で遊びがなく固定される。
【００２３】
セッティング１の中央部分は、ジェムストーンなどの装飾要素を収容することができるキャビティを含む。
【００２４】
セッティング１の上部は、装飾要素１０を取り付けるための塑性変形可能なセッティング要素４を含む。
【００２５】
弾性リングは、止め輪プライヤまたはシーガーリングプライヤなどの適切な工具を用いて、挿入前に圧縮され得る。
【００２６】
しかし、ジェムストーンの場合には良くあることだが、セッティングが小さな寸法の場合は、セッティング、および／または空洞６は、セッティング１が空洞６の中に押し込まれる時に、セッティング１を圧縮するための傾斜表面５、１５、１６、１９を含むことが好ましい。
【００２７】
空洞の壁は好ましくは支持体９の表面に直角であり、任意の断面を持つ直線状の円筒を形成する。この場合、セッティング１は、予め応力を加えたセッティングによって空洞の壁に与えられる圧力によって生成される摩擦力によって保持される。
【００２８】
好都合な代替形態として、空洞６は僅かなテーパを有し、空洞の断面の表面は深さと共に僅かに増加し、そのテーパによってセッティング１の機械的固定が可能となっている。
【００２９】
摩擦力および上述の機械的固定に加えて、セッティング１および空洞は、対応する突出部と噛み合う溝などの、追加の固定手段を含んでも良い。
【００３０】
セッティング１を形成する材料は、装飾要素１０を取り付けるのに必要な塑性変形を可能とするために、十分に延性であり、かつ同時にセッティング１の空洞内での機械的固定を可能とする十分に可逆的な弾性変形を有していなければならない。
【００３１】
この材料は、金、白金、パラジウム、レニウム、ルテニウム、ロジウム、銀、イリジウム、オスミウム、またはこれら元素のうちの少なくとも１つを含有する合金を含むことが好都合である。
【００３２】
図２は、基材９の空洞６の中への挿入の準備ができたセッティング１を示す。このセッティングは突出した表面３を含み、セッティングが固定される時に、空洞内に凹部を形成する傾斜表面７と協働する。セッティングの下部は円錐状表面５を有し、その下部の直径は空洞の上部開口部の直径よりも僅かに小さい。
【００３３】
図３はセッティングを空洞の中に挿入するステップを示す。利用者はセッティングを空洞の中に押し込むと、それによりセッティングの下部の円錐状表面５を、空洞の上縁部の中に押し込む効果となる。円錐状表面５状へのこの垂直圧力は、セッティング（弾性リング）を圧縮する効果があり、その時、セッティングは空洞６に入ることができる。
【００３４】
図４では、セッティングが空洞の底部に押し込まれている。この位置において、セッティングの直径は、跳ね返りにより再び増加し、セッティングの側面に突出した表面５は、空洞６の傾斜表面７によって形成された溝を占める。セッティングの、この弾性的な拡張は、優れた品質の機械的固定をもたらす。
【００３５】
図５は、装飾要素１０が置かれた図４のセッティングを示す。この装飾要素１０は次いで、図６に示されるような適切な取付け工具１１を用いて、セッティング要素１２の塑性変形によって取り付けられる。
【００３６】
図７は本発明によるセッティングの別の例を表し、セッティング内に設けられた溝１７と協働する、空洞の内面上の突出部１４の存在によって機械的固定が得られている。この例では、セッティングの基部における円錐状表面１５が、突出部１４の上部の第２の円錐状表面１６の助けによってセッティングがスナップ式に嵌め込まれた瞬間に、セッティングは圧縮される。
【００３７】
図８はセッティングの別の例を表し、セッティングの外側表面から突出し、空洞の側壁の凹部１８と協働する、突出部２０によって機械的固定が得られる。ここでも、突出部２０の底部の円錐状表面１９が、セッティングが空洞の中に挿入された時に、セッティングを圧縮する。
【００３８】
突出部であれ溝であれ、保持手段はセッティングおよび空洞の輪郭の全体にわたって存在しても良く、または不連続であっても良い。後者の場合、保持手段は、セッティングの適切な角度方向の位置決めが確保されるように構成され得る。
【００３９】
図９は時計ケースの形態の装飾部品を示し、複数の隣接した空洞の中に挿入された複数のセッティングを備えている。図１０では、連続するセッティングが、それぞれの開放部（２）において組み合わされていることがわかる。これらの開放部は特に、次のセッティングと厳密に同一の輪郭を有する凹部（１３）に隣接している。この噛み合う構成は多くの利点を有する。
【００４０】
最初の利点は、セッティングを、精密な角度方向で位置決めされるように強制して、目に見えるセッティングのプロング４、１２を規則的に方向付けることである。第２の利点は、セッティングを開放位置にロックして、支持体内でのセッティングの機械的固定を改善することである。
【００４１】
基材の空洞は、機械加工、フライス削り、レーザアブレーションなどの任意の好適な手段によって、または支持体の型枠で直接に作製することができる。例えばセラミック支持体の場合、空洞は未処理セラミックの機械加工またはレーザアブレーションによって得ることができ、次いで空洞を開けた支持体は焼成され稠密化される。
【００４２】
図１１および図１２に示すように、本発明のセッティングは特に、止まり穴内にジェムストーンを固定するのに良く適しており、装飾要素を固定する場合に支持体の裏面を介した接近を必要としない。この特徴は、装飾要素を、時計ケースなどの固い、または密閉された器具の中に挿入することが意図される場合に特に有利である。
【符号の説明】
【００４３】
１  セッティング
２  セッティング開放部
３  セッティングの保持表面
４  セッティング要素
５  セッティングの挿入表面
６  空洞
７  支持体内部の保持表面
８  支持体の挿入表面
９  支持体
１０  装飾要素
１１  取付け工具
１２  閉じられたセッティング要素
１３  セッティングの噛み合い領域
１４  空洞壁の保持突出部
１５、１６  セッティングの円錐状圧縮表面
１７  セッティング壁に構成された保持溝
１８  空洞壁に構成された保持溝
１９  セッティングの圧縮表面
２０  セッティングの保持突出部
２１  装飾された物品
【図１】
2019111324.tif 000003
【図２】
2019111324.tif 000004
【図３】
2019111324.tif 000005
【図４】
2019111324.tif 000006
【図５】
2019111324.tif 000007
【図６】
2019111324.tif 000008
【図７】
2019111324.tif 000009
【図８】
2019111324.tif 000010
【図９】
2019111324.tif 000011
【図１０】
2019111324.tif 000012
【図１１】
2019111324.tif 000013
【図１２】
2019111324.tif 000014